(57)【要約】      （修正有）【課題】扉構造を提供する。【解決手段】主に扉１、取っ手フレーム、取っ手プレート３によって構成されている。扉正面において、扉のロッカーオープンサイド１１に隣接する位置に設けられている取っ手フレームの一方の側は、ロッカーオープンサイドからロッカーに向けて延伸しており、取っ手フレームの正面には第一はめ込み部が設けられている。一方、取っ手プレートの裏面には第二はめ込み部が設けられており、取っ手プレートは、プレート本体、及び、プレート本体の一方の側にあって、且つプレート本体の後方に向けて延伸する延伸部によって構成されている。プレート本体が扉のロッカーオープンサイドから取っ手フレーム内にはめ込まれ、第二はめ込み部と第一はめ込み部が互いに噛み合うことにより、取っ手プレートが取っ手フレーム上に固定される。【選択図】図１
0003209764.tif 000002
【実用新案登録請求の範囲】
【請求項１】
ロッカー開口部に取り付けされる扉で、扉の正面においてロッカーオープンサイドに隣接して設けられた取っ手フレームを備え、当該取っ手フレームの一方の側は、ロッカーオープンサイドにかけてロッカー方向に延伸しており、当該取っ手フレームの正面には第一はめ込み部を備えていること、
取っ手プレートは、裏面に第二はめ込み部を有し、プレート本体及びプレート本体の後方に伸びる延伸部によって構成されており、当該プレート本体が扉のロッカーオープンサイドから当該取っ手フレーム内にはめ込まれる構造で、第二はめ込み部と第一はめ込み部を噛み合わせて取っ手プレートを取っ手フレームに固定すること、
を特徴とする扉構造。
【請求項２】
当該取っ手フレームが、扉正面にへこんで設けられた第一凹部、及び第一凹部の側辺から扉後方に向けて延伸した第二凹部によって構成されており、第一はめ込み部が第一凹部上に設けられ、プレート本体を第一凹部にはめ込み、延伸部を第二凹部にはめ込むこと
を特徴とする請求項１に記載の扉構造。
【請求項３】
第二凹部に1個以上の凹溝が設けられ、当該延伸部において当該凹溝に対応する位置に、当該凹溝にはめ込むべき1個以上の凸部が設けられていること
を特徴とする請求項２に記載の扉構造。
【請求項４】
第二凹部に1個以上の凸部が設けられ、当該延伸部において当該凸部に対応する位置に、当該凸部にはめ込むべき1個以上の凹溝が設けられていること
を特徴とする請求項２に記載の扉構造。
【請求項５】
第一凹部の第一はめ込み部の周縁に1個以上の位置決め穴が設けられており、取っ手プレートの裏面には、当該位置決め穴に対応する位置に1個以上の位置決め凸ブロックが設けられていること
を特徴とする請求項１に記載の扉構造。
【請求項６】
第一はめ込み部は、中間には開き口があり、当該開き口の上辺、下辺、及びロッカーオープンサイドから遠い方の側辺には、開き口を囲むように凸エッジが設けられ、当該開き口において、凸エッジのある側辺とは反対側の側辺には、当該開き口に通じる通し穴が設けられていること、
第二はめ込み部は、はめ込み溝と位置決めブロックにより構成されており、当該はめ込み溝は、開き口の上辺、下辺、及びロッカーオープンサイドから遠い方の側辺に設けられた凸エッジに対応する凹溝であり、位置決めブロックと取っ手プレートの間に設けられていること
を特徴とする請求項１に記載の扉構造。
【請求項７】
取っ手プレート中間には、取っ手プレートを貫通する錠穴が穿たれ、はめ込み溝及び位置決めブロックが、錠穴を囲むように、錠穴の上辺、下辺、及び延伸部から遠い方の側辺に設けられていること
を特徴とする請求項６に記載の扉構造。
【請求項８】
錠穴の周縁には金属フレームを埋め込むためのL型凹溝があり、L型凹溝の一端は錠穴に通じており、金属フレームは、L型凹溝と錠穴に通じる一端を通して錠穴内にはめ込まれる金属フレームの任意辺、及び、任意辺と垂直で、L型凹溝に埋め込まれる埋込部により構成されていること
を特徴とする請求項７に記載の扉構造。
【考案の詳細な説明】
【技術分野】
【０００１】
本考案は、ロッカー扉、特に扉の取っ手部分が破壊されてロッカー内保管物品が盗難されることを防止できる扉構造に関するものである。
【背景技術】
【０００２】
多くの人が出入りする場所で個人の持ち物を預け入れるロッカーの扉には、いずれも錠が設けられ、個人の物品が盗難に遭うのを防止しているが、通常、ロッカー扉の取っ手は、ほとんどがロッカー正面扉に組み込まれているため、窃盗犯が中の物品を窃盗するとき、錠を破壊するのではなく、とがった、または平たい工具を扉と取っ手の接合部分に差し込んでから、取っ手の部分をこじ開け、ロッカー内に預け入れていた個人の物品を窃盗する。
【０００３】
前記のように、ロッカーの扉構造は安全性という点で問題があり、必ずしも良好な設計とは言えないことから、これに改良を加え、工夫を重ねて、この扉構造を考案するに至った。
【考案の概要】
【考案が解決しようとする課題】
【０００４】
本考案は、ロッカー扉の取っ手の部分が容易にこじ開けられない扉構造を提供することを目的とする。
【課題を解決するための手段】
【０００５】
本考案の扉構造は、扉と取っ手プレートによって構成されている。扉の一方の側は、回転軸としてロッカー開口部の一方の側に取り付けされ、ロッカー開口部に取り付けされる回転軸の反対側は、ロッカーオープンサイドとなる。扉の正面には、ロッカーオープンサイドに隣接して取っ手フレームが設けられており、取っ手フレームは、扉正面にへこんだ第一凹部、及び、第一凹部側辺から、ロッカーオープンサイドにかけてロッカー方向に延伸する第二凹部を含み、第一凹部は扉につながる開き口があり、当該開き口の上辺、下辺、及びロッカーオープンサイドから遠い方の側辺には凸エッジが設けられ、当該開き口において、凸エッジのある側辺とは反対側の側辺には、当該開き口に通じる通し穴が設けられている。
【０００６】
第一凹部に設けられた第一はめ込み部は、その中間に扉につながる開き口があり、当該開き口の上辺、下辺、及びロッカーオープンサイドから遠い方の側辺には、開き口を囲むように凸エッジが設けられ、当該開き口において、凸エッジのある側辺とは反対側の側辺には、当該開き口に通じる通し穴が設けられている。第二はめ込み部は、はめ込み溝と位置決めブロックにより構成されており、当該はめ込み溝は、開き口の上辺、下辺、及びロッカーオープンサイドから遠い方の側辺に設けられた凸エッジに対応する凹溝であり、位置決めブロックと取っ手プレートの間に設けられている。
【０００７】
取っ手プレートは、プレート本体及びプレート本体の後方に伸びる延伸部によって構成されている。取っ手プレートの裏面は第二はめ込み部を有し、取っ手プレートの中間には取っ手プレートを貫通する錠穴が設けられており、錠穴の周囲にはL型金属フレームを埋設するL型凹溝が設けられている。取っ手プレート裏面において、錠穴周囲に設けられた第二はめ込み部は、錠穴の上辺、下辺、及び延伸部から遠い方の側辺に設けられたはめ込み溝及び位置決めブロックにより構成されており、はめ込み溝は、位置決めブロックと取っ手プレートに挟まれている。
【０００８】
さらに、第二凹部には1個以上の凹溝が設けられており、延伸部において当該凹部に対応する位置には、当該凹溝にはめ込むべき1個以上の凸部がある、または、第二凹部には1個以上の凸部が設けられており、延伸部において当該凸部に対応する位置には、当該凸部にはめ込むべき1個以上の凹溝がある。
【０００９】
さらに、第一凹部は、第一はめ込み部の端に1個以上の位置決め穴が設けられており、取っ手プレート裏面において当該位置決め穴に対応する位置には、1個以上の位置決め凸ブロックが設けられている。
【図面の簡単な説明】
【００１０】
【図１】本考案の立体図
【図２】本考案の立体分解図
【図３】本考案の取っ手フレーム拡大図
【図４】本考案の取っ手プレート立体図
【図５】本考案の取っ手プレート立体図（別角度）
【図６】本考案において取っ手プレートと金属フレームが組み合わさる部分の断面図
【図７】図6の取っ手プレートと金属フレームの分解図
【考案を実施するための形態】
【００１１】
図1〜5を参照しつつ話を進める。本考案の扉構造は、扉1、取っ手フレーム2、及び取っ手プレート3によって構成されている。扉1の一方の側は、回転軸としてロッカー（図中未表示）開口部の一方の側に取り付けされ、ロッカー開口部に取り付けされる回転軸の反対側は、扉1のロッカーオープンサイド11となる。取っ手フレーム2は、第一凹部21、第二凹部22、及び第一はめ込み部23により構成されており、第一凹部21は扉1の正面にへこんで設けられ、第二凹部22の一方の側は第一凹部21の一方の側と連続してつながっており、第二凹部22の表面には2個の凹溝221が設けられている。第一凹部21上に設けられている第一はめ込み部23は、扉1まで貫通している開き口231、開き口231を囲むように、開き口の上辺、下辺、及び第二凹部22とは反対側の側辺に設けられた凸エッジ232、及び、凸エッジ232のある側辺とは反対側の開き口231側辺に設けられた、開き口に通じる通し穴233により構成されている。
【００１２】
取っ手プレート3は、プレート本体31及び第二はめ込み部33により構成されている。プレート本体31は1枚のプレートであり、プレート本体31にはプレート本体31を貫通する錠穴311があり、プレート本体31の一方の側には、プレート本体31の後方に向けて延伸部32が延伸している。延伸部32からプレート本体31裏面にかけての表面上には2個の凸部321が設けられている。プレート本体31の裏面において錠穴311を囲むように設けられた第二はめ込み部33は、錠穴311の上辺、下辺、及び延伸部32から遠い方の側辺に設けられたはめ込み溝331及び位置決めブロック332により構成されており、はめ込み溝331は、位置決めブロック332と取っ手プレート3の裏面に挟まれている。
【００１３】
さらに、第一凹部21表面には、第一はめ込み部23の端に位置決め穴211が設けられており、プレート本体31には、第二はめ込み部33の端に位置決め凸ブロック312が設けられている。
【００１４】
本考案において扉構造を組み合わせるときは、取っ手プレート3のプレート本体31における延伸部32の反対側を、扉1のロッカーオープンサイド11に向けて取っ手フレーム2の中に挿入し、取っ手プレート3の位置決めブロック332を、第一はめ込み部23の通し穴233経由で開き口231内にはめ込む。すなわち、第一はめ込み部23の開き口231上辺の凸エッジ232を錠穴311上辺のはめ込み溝331内に入れ、第一はめ込み部23の開き口231下辺の凸エッジ232を錠穴311下辺のはめ込み溝331内に入れ、さらに、第一はめ込み部23において、第二はめ込み部22と反対側の側辺の凸エッジ232を、錠穴311において延伸部32とは反対側の側辺のはめ込み溝331に入れる。並びに、位置決めブロック332を利用して、第一はめ込み部23の凸エッジ232を、位置決めブロック332とプレート本体31の間に挟み込むと同時に、延伸部32に設けられた2個の凸部321を、第二凹部22に設けられた2個の凹溝221内にはめ込むとともに、プレート本体31裏面に設けられた位置決め凸ブロック312を、第一凹部21の位置決め穴211内にはめ込んでから、取っ手プレート3を扉1の取っ手フレーム2上に固定する。
【００１５】
さらに図6〜7を参照しつつ話を進める。本考案において、プレート本体31の中間に穿たれた錠穴311は、ロッカーの扉錠（図中未表示）を設置するためのものであり、錠穴311の周縁にはL型凹溝3111があり、L型凹溝3111の一端は錠穴311に通じており、L型凹溝3111は金属フレーム34を埋め込むためのものである。金属フレーム34は、L型凹溝3111が錠穴311に通じる一端を通して錠穴にはめ込まれる金属フレーム34の任意辺341、及び、任意辺341と垂直で、L型凹溝3111に埋め込まれる埋込部342により構成されており、錠を錠穴311に装着するとき、錠後方の周縁の表面と金属フレーム34の任意辺341が、プレート本体31前面の表面に対して密着している。
【００１６】
上述の構造によると、本考案の扉構造は従来のロッカー扉取っ手構造と比較して以下のような特徴と効用がある。
１．本考案の取っ手プレートは、ロッカーオープンサイドからスライドさせて扉にはめ込む方式であり、扉の正面から扉にはめ込むものではないことから、当該ロッカー扉を閉じて施錠した後、本考案の取っ手プレートはめ込み部分は扉正面に露出していないため、取っ手はめ込みの方向に沿って取っ手部分からこじ開けられるのを防止できる。
２．本考案は、錠穴の周縁に金属フレームを埋め込んでおり、錠を錠穴に装着すると、錠後方の周縁の表面と、錠穴にはめ込まれた金属フレームの任意辺が、プレート本体前面の表面に対して密着しているので、とがった、または平たい工具を、錠穴と錠の隙間に差し込もうとするとき、当該工具の先端が、プレート本体前面に向き合う任意辺の表面にぶつかって、錠を壊して取り出すのに時間がかかり、難度も増す。
３．本考案の取っ手プレートは、ロッカーオープンサイドからスライドさせて扉にはめ込む方式であり、取っ手プレートの裏面と位置決めブロックで取っ手フレームの凸エッジを挟み込むので、窃盗犯がとがった、または平たい工具を扉正面と取っ手の隙間に差し込んでこじ開けようとしても、取っ手プレートは、工具を差し込んだ部分が破壊されるのみであり、取っ手プレート全体を取り出すことはできない。
４．本考案の取っ手プレートは、ロッカーオープンサイドからスライドさせて扉にはめ込む方式であり、取っ手プレートの裏面と位置決めブロックで取っ手フレームの凸エッジを挟み込むので、扉正面と取っ手プレートの接する部分を全部破壊しなければ、取っ手プレートを取り出すことができず、ロッカー内の預け入れ物品を窃盗するのに時間がかかり、難度も増す。
【００１７】
以上の詳細説明は本考案における実施例の具体的説明にとどまり、これをもって本考案の登録請求範囲が限定されるべきではなく、本考案に係わる技能に精通した者が、本考案の趣旨に従って同等の効果を得た場合は、以下における本考案の登録請求範囲内とする。本考案は技術的思想の創作に属し、従来の物品に上述の機能や効果が付加されており、新規性、進歩性という登録の要件を満たしていると思われることから、ここに実用新案登録を出願する。
【符号の説明】
【００１８】
１      扉
１１      ロッカーオープンサイド
２      取っ手フレーム
２１      第一凹部
２１１      位置決め穴
２２      第二凹部
２２１      凹溝
２３      第一はめ込み部
２３１      開き口
２３２      凸エッジ
２３３      通し穴
３      取っ手プレート
３１      プレート本体
３１１      錠穴
３１１１      L型凹溝
３１２      位置決め凸ブロック
３２      延伸部
３２１      凸部
３３      第二はめ込み部
３３１      はめ込み溝
３３２      位置決めブロック
３４      金属フレーム
３４１      任意辺
３４２      埋込辺
【図１】
0003209764.tif 000003
【図２】
0003209764.tif 000004
【図３】
0003209764.tif 000005
【図４】
0003209764.tif 000006
【図５】
0003209764.tif 000007
【図６】
0003209764.tif 000008
【図７】
0003209764.tif 000009